(57)【要約】【課題】  遊技盤や窓部を支持する支持部材を交換する作業を安全かつ効率良く行う。【解決手段】  支持部材２２を本体基部１１から取り外す方向に変位させると、係止部材３３の係止面３３ｂと本体基部１１の係止面１１ｉとが係止し、支持部材２２が本体基部１１に仮固定された状態となる。支持部材２２の変位に伴い、付勢規制部材１１ｈによる取っ手付勢部３２の回動の規制が解除され、取っ手付勢部３２がバネ３７の付勢によって図中時計方向に回動して、取っ手３１が上方に突出する。作業者は、取っ手３１を下方に変位させて、係止部材３３を係止解除位置に変位させ、係止部材３３と本体基部１１との係止を解除させる。この状態を保ったまま、取っ手３１を把持しながら支持部材２２を本体基部１１から分離する。【選択図】        図７
2005137419.tif 000002
【特許請求の範囲】
【請求項１】
遊技球が打ち出される遊技領域を有する遊技盤を支持する支持部材と、前記支持部材が着脱自在に取り付けられる本体基部とを備えた弾球遊技機において、
把持することが可能な形状に形成された取っ手と、
前記取っ手を、前記支持部材を前記本体基部に取り付ける方向と略直交する方向に変位可能に保持するとともに、前記略直交する方向に付勢する取っ手付勢部材と、
前記支持部材を前記本体基部から取り外す方向に変位させた際に、前記取っ手付勢部材による付勢によって前記本体基部に設けられた係止部に係止する係止位置と、この係止を解除する係止解除位置との間で移動自在な係止部材とを前記支持部材に設けたことを特徴とする弾球遊技機。
【請求項２】
前記支持部材を前記本体基部に取り付けるときに前記取っ手付勢部材と当接し、前記支持部材の前記本体基部に取り付ける方向への変位に伴って、前記取っ手付勢部材を前記取っ手の付勢方向とは反対の方向に移動させる付勢規制部材を前記本体基部に設けたことを特徴とする請求項１記載の弾球遊技機。
【発明の詳細な説明】
【技術分野】
【０００１】
本発明は、遊技場に設置して使用されるパチンコ機などの弾球遊技機に関するものである。
【背景技術】
【０００２】
本明細書中では、遊技球としてパチンコ球、また、遊技盤面に設けられた入賞口にパチンコ球が入ることを入賞とする。
【０００３】
弾球遊技機の一つであるパチンコ機では、本体基部に遊技盤が着脱自在に取り付けられ、さらに、遊技盤の遊技領域を透視可能にする窓部が取り付けられている。また、遊技盤の背面には、遊技の際に作動される駆動装置の作動を制御する作動制御装置やパチンコ球の球通路などが取り付けられている。設置されているパチンコ機を遊技性の異なるパチンコ機へ交換する場合には、新たな機種のパチンコ機と設置されているパチンコ機との本体基部が交換されるか、又は、本体基部を据え置きとして遊技盤のみが交換される。
【発明の開示】
【発明が解決しようとする課題】
【０００４】
ところで、パチンコ機は機種に関わらず多くの共通部品が使用されているが、本体基部を交換してしまうと、共通部品も同時に交換することになって共通部品をリユースできなくなり、機種交換に伴うコストが高くなってしまう。また、遊技盤のみを交換した場合、パチンコ機の外観のデザインに変化がないため、外観から新たな機種のイメージが遊技者に伝わりにくい。
【０００５】
このため、本体基部に遊技盤及び窓部を支持可能な支持部材を着脱自在に取り付け、機種交換の際に遊技盤及び窓部とともに支持部材を交換可能とすることによって、本体基部の共通部品のリユースを可能にしながら、パチンコ機の外観のイメージに変化を加えることが検討されている。
【０００６】
しかしながら、機種交換の作業は一般に作業者一人で行われるが、機種交換の際に支持部材を交換する場合、遊技盤、窓部、作動制御装置、球通路などの重量が支持部材に加わるため、作業者一人で支持部材の本体基部からの取り外し、支持部材の本体基部への取り付け、支持部材の持ち運びなどの作業を行うと、作業者への負担が大きくなり、その重量も重くなるため、支持部材を落下させてしまうおそれがある。このことが、支持部材や遊技盤や窓部などの破損の原因や作業者の怪我の原因、支持部材の交換に伴う作業の効率が低下する原因となることが考えられる。
【０００７】
本発明は、上記課題を解決するためになされたもので、遊技盤や窓部を支持する支持部材を交換する作業を安全かつ効率良く行うことができるようにした弾球遊技機を提供することを目的とする。
【課題を解決するための手段】
【０００８】
上記目的を達成するために、本発明の弾球遊技機は、遊技球が打ち出される遊技領域を有する遊技盤を支持する支持部材と、前記支持部材が着脱自在に取り付けられる本体基部とを備えた弾球遊技機において、把持することが可能な形状に形成された取っ手と、前記取っ手を、前記支持部材を前記本体基部に取り付ける方向と略直交する方向に変位可能に保持するとともに、前記略直交する方向に付勢する取っ手付勢部材と、前記支持部材を前記本体基部から取り外す方向に変位させた際に、前記取っ手付勢部材による付勢によって前記本体基部に設けられた係止部に係止する係止位置と、この係止を解除する係止解除位置との間で移動自在な係止部材とを前記支持部材に設けたものである。
【０００９】
なお、前記取っ手付勢部材は、前記取っ手付勢部材を回動自在に軸支する保持部材と、前記取っ手付勢部材を前記取っ手が変位する方向のうちの一方向に付勢する弾性部材とを備えた仮固定装置に取り付けられていることが好ましい。前記弾性部材による付勢によって、前記取っ手は、前記支持部材が前記本体基部に取り付けられた状態での第１位置から、前記支持部材を前記本体基部から取り外したときに、前記取っ手付勢部材の変位にともなって第２位置に変位する。この場合、前記係止部材は、前記支持部材を前記本体基部に取り付けた状態で前記取っ手付勢部材に係止して係止位置に位置し、前記取っ手付勢部材の変位によって係止解除位置に適宜に移動又は回動することが好ましい。
【００１０】
なお、前記支持部材を前記本体基部に取り付けるときに前記取っ手付勢部材と当接し、前記支持部材の前記本体基部に取り付ける方向への変位に伴って、前記取っ手付勢部材を前記取っ手の付勢方向とは反対の方向に移動させる付勢規制部材を前記本体基部に設けることが好ましい。
【発明の効果】
【００１１】
以上のように、本発明の弾球遊技機では、把持することが可能な形状に形成された取っ手と、取っ手を、支持部材を本体基部に取り付ける方向と略直交する方向に変位可能に保持するとともに、前記略直交する方向に付勢する取っ手付勢部材と、支持部材を本体基部から取り外す方向に変位させた際に、取っ手付勢部材による付勢によって本体基部に設けられた係止部に係止する係止位置と、この係止を解除する係止解除位置との間で回動自在な係止部材とを支持部材に設けたので、支持部材を本体基部から取り外す際に支持部材を本体基部に仮固定することが可能になり、また、取っ手を把持することによって支持部材の持ち運びを行いやすくすることが可能になるので、支持部材を交換する際の作業を安全かつ効率良く行うことができる。さらには、支持部材を本体基部から取り外す際に、取っ手を把持することによって、支持部材を保持する部分を支持部材に設けなかった場合に比べて支持部材を本体基部から引き出しやすくなり、また、支持部材を取り外した際の支持部材の持ち運びも容易になって、支持部材を交換する際の作業を効率良くすることができる。
【００１２】
また、支持部材を本体基部に取り付けるときに取っ手付勢部材と当接し、支持部材の本体基部に取り付ける方向への変位に伴って、取っ手付勢部材を取っ手の付勢方向とは反対の方向に回動させる付勢規制部材を本体基部に設けたので、支持部材を本体基部に取り付ける際に、取っ手を取っ手の付勢方向と反対方向に押圧して支持部材を本体基部に取り付ける作業を行わずに、支持部材を本体基部に仮固定可能又は固定可能な状態とすることができるので、支持部材を交換する際の作業を効率良く行うことができる。なお、仮固定とは、支持部材を本体基部から取り外す作業の過程で支持部材が本体基部に保持されている状態を示し、固定とは支持部材の本体基部への取り付けが完了した状態を示す。
【発明を実施するための最良の形態】
【００１３】
図１及び図２に示す本実施形態のパチンコ機１０は、本体基部１１、遊技盤１２、ガラス枠ユニット１３から構成されている。遊技盤１２及びガラス枠ユニット１３は本体基部１１に着脱自在に取り付けられている。
【００１４】
本体基部１１は、上部と下部の２つに区画された矩形の枠形状に形成されており、その下部には下部ユニット１１ａが取り付けられている。下部ユニット１１ａには、操作ハンドル１１ｂ、後述する受皿２１、パチンコ球発射装置などが設けられている。
【００１５】
遊技盤１２の背面には、メイン制御基盤（メイン制御装置）１１ｃ及びサブ制御基盤（サブ制御装置）１１ｄが設けられている。メイン制御基盤１１ｃは、機種に応じた遊技の実行処理を行い、さらに、サブ制御基板１１ｄに対して命令を行うための制御を行う。サブ制御基盤１１ｄは、後述する図柄表示装置１４の表示制御、ランプ１１ｅの点灯制御、スピーカー１１ｆから出力される音声制御などの各駆動装置の作動を制御する。
【００１６】
遊技盤１２の前面側には遊技領域が設けられており、この遊技領域には、図柄表示装置１４、始動入賞口１５、通常入賞口１６、通過入賞口１７、アタッカ１８、アウト口１９が設けられている。図示は省略してあるが、遊技盤１２の遊技領域にはその他複数の障害釘や風車などが適宜箇所に設けられている。
【００１７】
操作ハンドル１１ｂが操作されると、パチンコ球の発射装置によってパチンコ球が遊技盤１２の遊技領域に打ち出され、打ち出されたパチンコ球が始動入賞口１５、通常入賞口１６、通過入賞口１７、アウト口１９のいずれかに入る。始動入賞口１５にパチンコ球が入賞すると当たり又はハズレを決定する抽選が行われるとともに図柄表示装置１４が作動される。図柄表示装置１４では、図柄の可変表示及び抽選の結果に応じた演出処理などが行われる。そして、図柄が停止表示されたときに、予め定められた図柄の組み合わせが表示されていると当たりとなり、通常状態から遊技者にとって有利となる当たり状態へと所定期間移行される。
【００１８】
当たり状態となると、アタッカ１８が、一回につき、その奥に設けられている大入賞口を所定時間又はパチンコ球が所定個数入賞するまで開放するように回動され、これが所定回数繰り返される。始動入賞口１５、通常入賞口１６、大入賞口にパチンコ球が入賞すると、入賞した入賞口の種類に応じて所定個数のパチンコ球が払い出し口２０から受皿２１に払い出される。一方、始動入賞口１５、通常入賞口１６、大入賞口に入賞しなかったパチンコ球はアウト口１９に入ってハズレ球として回収される。
【００１９】
図２に示すように、ガラス枠ユニット１３は、支持部材２２と窓部２３とを備えている。本体基部１１には、支持部材２２の外周よりも一回り大きく凹ませた支持部材取付部１１ｇが形成されている。支持部材取付部１１ｇには支持部材２２が着脱自在に取り付けられる。
【００２０】
支持部材２２は遊技盤１２及び窓部２３を支持可能な構造となっている。支持部材２２は、矩形の枠形状に形成され、その前面側から遊技盤１２が着脱自在に取り付けられる。窓部２３は支持部材２２に対して回転自在で、かつ着脱自在に取り付けられている。窓部２３を回転させると、支持部材２２の前面側を開閉することが可能になる。窓部２３の前面には、ランプ１１ｅやスピーカー１１ｆなどが取り付けられている。
【００２１】
窓部２３にはガラス窓２４が取り付けられている。ガラス窓２４は、ガラス枠２４ａとガラス２４ｂとから構成されている。ガラス２４ｂはガラス枠２４ａに嵌め込まれている。ガラス枠２４ａは、窓部２３に対して回転自在でかつ着脱自在に取り付けられている。窓部２３は遊技盤１２の前面側に配置されているため、窓部２３が支持部材２２の前面を閉じた状態のとき、ガラス２４ｂを通して遊技盤１２の遊技領域が透視可能となる。
【００２２】
図３に示すように、支持部材２２の上部には、支持部材２２を本体基部１１に仮固定し、また、支持部材２２の持ち運びを可能にする仮固定装置３０が設けられている。なお、図３では図の煩雑化を防ぐために、下部ユニット１１ａ、遊技盤１２、窓部２３は図示を省略している。
【００２３】
図４に示すように、仮固定装置３０は、把持することが可能な取っ手３１、取っ手３１が一体に固定された一対の取っ手付勢部材３２、本体基部１１に係止する一対の係止部材３３、取っ手付勢部材３２及び係止部材３３が取り付けられ、断面が略コの字形状となるように形成された一対のブラケット３４を備えている。
【００２４】
取っ手３１は、取っ手３１を把持することが可能なコの字形状に形成されている。取っ手３１の一対の脚部３１ａには、脚部３１ａに連なるように軸３１ｂが形成されている。軸３１ｂは脚部３１ａと直交し、かつ、外向きに突出するように形成されている。
【００２５】
取っ手付勢部材３２は、板状に形成されており、その長手方向の両端が円弧状になっている。取っ手付勢部材３２には、取っ手付勢部材３２の長手方向の端部を幅方向に沿って中央部まで略円弧状に切り欠いた切り欠き３２ａが形成されており、切り欠き３２ａ内の内壁３２ｂには取っ手付勢部材３２の側面に連なる図示しない孔が形成されている。内壁３２ｂの孔は軸３１ｂを挿通可能な大きさに形成されており、軸３１ｂが切り欠き３２ａの内壁に形成された孔から挿通されると、軸３１ｂの先端が取っ手付勢部材３２の外側の側面に形成された孔から突出する。軸３１ｂの突出部分にはキャップ３５が取り付けられている。キャップ３５が軸３１ｂに取り付けられると、キャップ３５が取っ手付勢部材３２の側面に引っ掛かり、軸３１ｂが取っ手付勢部材３２から抜け落ちることが防止される。取っ手３１は軸３１ｂを中心に矢印Ａの示す方向で回動自在となるが、取っ手３１を回動させると、脚部３１ａは切り欠き３２ａの縁部３２ｃに当接するため、脚部３１ａが回動する範囲は一定の範囲内に規制される。
【００２６】
取っ手付勢部材３２の側面のうち、切り欠き３２ａが形成される面には、切り欠き３２ａとは反対の端部側に位置するように軸３２ｄが設けられている。軸３２ｄはブラケット３４の側面から突出するようにブラケット３４に取り付けられている。これにより、取っ手付勢部材３２は軸３２ｄを中心に矢印Ｂの示す方向に回動自在となり、取っ手３１は、支持部材２２を本体基部１１に取り付ける方向（図２の矢印Ｃに示す方向）に略直交する方向（矢印Ｄの示す方向）の示す方向に変位可能となる。軸３２ｄの突出部分にはキャップ３５が取り付けられている。キャップ３５は軸３２ｄがブラケット３４から抜け落ちることを防止する。
【００２７】
取っ手付勢部材３２の軸３２ｄが設けられている面とは反対側の側面には、切り欠き３２ａとは反対の端部側に位置するように軸３２ｅが設けられている。軸３２ｅはその先端部が、ブラケット３４の軸取付部３４ａに取り付けられている。軸取付部３４ａは、その内部が軸３２ｅの直径よりも一回り大きく形成されており、軸３２ｅが軸取付部３４ａに取り付けられると軸３２ｅは回動自在となる。軸３２ｅにはトーションバネ３６が取り付けられている。取っ手付勢部材３２は、トーションバネ３６によって切り欠き３２ａが形成されているほうの端部が上方に付勢されている。このため、取っ手３１は矢印Ｄに示す方向のうちの上方に付勢される。
【００２８】
また、取っ手付勢部材３２の軸３２ｄが設けられている面とは反対側の側面には、略中央に位置するように支持軸３２ｆが設けられている。支持軸３２ｆの先端はブラケット３４に形成されたガイド溝３４ｂへと突出しており、支持軸３２ｆの突出部分にはキャップ３５が取り付けられている。キャップ３５は支持軸３２ｆがブラケット３４から抜け落ちることを防止する。ガイド溝３４ｂは取っ手付勢部材３２の回動する経路に沿うように形成されており、取っ手付勢部材３２が回動すると、支持軸３２ｆがガイド溝３４ｂ内を変位する。取っ手３１を矢印Ｄの示す方向のうち上方向に変位させると、支持軸３２ｆがガイド溝３４ｂの端部に係止するため、取っ手３１を把持することによって支持部材２２を保持することが可能になる。
【００２９】
図５に示すように、支持部材２２を本体基部１１に取り付けたときに、それぞれの取っ手付勢部材３２の上方に位置するように、本体基部１１には一対の付勢規制部材１１ｈが設けられている。付勢規制部材１１ｈは、支持部材２２を本体基部１１に取り付ける方向へ変位させたときに、取っ手付勢部材３２の上面に接触して取っ手付勢部材３２が回動する範囲を規制する。付勢規制部材１１ｈは、本体基部１１への取付部分から先端にかけて（本体基部１１の背面側から前面側への方向）高さ方向の幅が除々に細くなるように縦断面の形状が略三角形状に形成されており、さらに、その先端部は高さ方向に揺動可能となるように弾性を有する材料で形成されている。このため、支持部材２２を本体基部１１から取り外すときに、支持部材２２の移動に伴い、取っ手付勢部材３２が付勢規制部材１１ｈから剥離するにしたがって除々に回動される。また、支持部材２２を本体基部１１から取り外すときに、作業者が取っ手付勢部材３２が付勢規制部材１１ｈの下方に位置する状態から取っ手３１を上方に変位させた場合、取っ手付勢部材３２が付勢規制部材１１ｈに負荷をかけるように接触しても付勢規制部材１１ｈはその弾性によって負荷を緩和すべく撓むため、付勢規制部材１１ｈが破損してしまうことを防止できる。
【００３０】
図６に示すように、係止部材３３は、その底面に取り付けられたバネ３７を介してブラケット３４に取り付けられている。バネ３７は、係止部材３３が図６中上方に突出する方向に係止部材３３を付勢している。また、係止部材３３の両側面で、その前端側には一対の軸３３ａが設けられている。軸３３ａはブラケット３４の軸支持部３４ｃ，３４ｄを貫通するように取り付けられており、係止部材３３は軸３３ａを中心に回動自在となっている。軸３３ａの先端側の軸支持部３４ｃ，３４ｄから突出した部分には前述したキャップ３５が取り付けられている。係止部材３３の前面は支持軸３２ｆが当接する当接面３３ｂとなっている。支持軸３２ｆが図４の矢印Ｂで示す方向のうちの上方向に回動されると、当接面３３ｂに支持軸３２ｆが当接し、係止部材３３はバネ３７の付勢力に抗して図５の矢印Ｅに示す方向に回動する。すなわち、支持軸３２ｆは取っ手３１に連動して変位するため、取っ手３１を図４の矢印Ｄの示す方向のうちの上方向に変位させると係止部材３３が矢印Ｅに示す方向に回動する。
【００３１】
また、係止部材３３の後端には係止部３３ｃが形成され、係止部３３ｃは係止面３３ｄを備えている。係止面３３ｄはバネ３７の付勢によって係止部材３３が傾斜した状態で、係止面１１ｉと略平行となるように形成（図１０参照）されており、支持部材２２が本体基部１１から取り外される方向に変位すると、取っ手付勢部材３２の当接面３３ｂへの当接による回動の規制が解除されて、バネ３７の付勢力が働くようになり係止面３３ｃは係止面１１ｉに係止する。係止部材３３は、支持部材２２が本体基部１１から取り外される方向に変位すると係止面３３ｃが係止面１１ｉに係止する係止位置（図８に示す位置）と、取っ手３１の変位に伴う支持軸３２ｆの変位によって係止面３３ｃと係止面１１ｉとの係止が解除される係止解除位置（図９に示す位置）との間で軸３３ａを中心に回動される。
【００３２】
ブラケット３４には取付片３４ｅが設けられている。取付片３４ｅの略中央部にはネジ挿通用の孔が形成されており、詳しくは図示しないが支持部材２２のブラケット３４を取り付ける部分には取付片３４ｅの孔に対応するようにネジ孔が形成されている。そして、取付片３４の孔からネジを挿通させることによってブラケット３４は支持部材２２に位置決め及び固定される。
【００３３】
次に、上記のように構成されたパチンコ機１０の作用について説明する。図７に示すように、ガラス枠ユニット１３の交換の際に支持部材２２を本体基部１１から取り外す方向（図中Ｆ方向）に変位させると、図８に示すように、係止部材３３の係止面３３ｃと本体基部１１の係止面１１ｉとが係止し、支持部材２２が本体基部１１に仮固定された状態となる。これにより、支持部材２２の取り外しを段階的に行うことが可能になり、作業者の怪我を防止し、作業を安全に行うことができるようになる。また、支持部材２２を本体基部１１から取り外す方向へ変位させると、取っ手付勢部３２と付勢規制部材１１ｈとの接触部分が付勢規制部材１１ｈの先端に向かって変位するため、付勢規制部材１１ｈの形状に沿って取っ手付勢部３２の回動範囲が広くなる。これにより、取っ手付勢部３２はトーションバネ３６の付勢により軸３２ｅを中心に図中時計方向（図中Ｇ方向）に除々に回動し、取っ手３１が上方に突出する。そして、図９に示すように、作業者が取っ手３１をさらに上方に変位させて支持軸３２ｆを変位させることによって、係止部材３３が係止位置から係止解除位置（図５中Ｈ方向）に回動し、係止部材３３と本体基部１１との係止が解除される。図５に示すように、この状態を保ったまま、取っ手３１を把持しながら支持部材２２を本体基部１１から分離する。取っ手３１を把持すると、支持部材２２を保持する部分を支持部材２２に設けなかった場合に比べて、支持部材２２の本体基部１１からの取り外しや支持部材２２の持ち運びが容易になる。
【００３４】
支持部材２２を本体基部１１に取り付ける場合、作業者が支持部材２２の側端部を保持しながら取っ手３１を把持して上方に変位させると、係止部材３３の当接面３３ｂは支持軸３２ｆと当接し、係止部材３３はバネ３７の付勢力に抗して係止解除位置に変位する。この状態を保ったまま、支持部材２２を本体基部１１に取り付ける方向（図５中Ｉ方向）に変位させると、取っ手付勢部３２の上面が付勢規制部材１１ｈに当接して軸３２ｅを中心に図中反時計方向（図５中Ｈ方向）に回動し、取っ手３１が下方に変位する。このとき、作業者は取っ手３１を把持することを中止する。そして、図１０に示すように、作業者が係止部材３３の規制を解除した状態で、支持部材２２を本体基部１１の支持部材取付部１１ｇへと押し当てるようにすると、取っ手３１が図５中Ｈ方向へとさらに変位して本体基部１１内に収納される。なお、支持部材２２と本体基部１１とを固定する方法はビスによる固定や嵌合による固定など適宜の方法にしてよい。
【００３５】
上記実施形態では、取っ手３１、取っ手付勢部３２、係止部材３３をブラケット３４に回動自在となるように取り付けたが、支持部材２２に回動自在となるように直接取り付けてもよい。
【図面の簡単な説明】
【００３６】
【図１】本発明を実施したパチンコ機の前面側の斜視図である。
【図２】本体基部からガラス枠ユニットを取り外した状態を示す斜視図である。
【図３】本体基部から支持部材を取り外すときの状態を示す斜視図である。
【図４】仮固定装置の斜視図である。
【図５】本体基部から支持部材が分離された状態を示す縦断面図である。
【図６】係止部材の構成を示す斜視図である。
【図７】本体基部から支持部材の取り外しを開始したときの状態を示す縦断面図である。
【図８】本体基部から支持部材を取り外すときに支持部材が仮固定された状態を示す縦断面図である。
【図９】本体基部から支持部材を取り外すときに支持部材の仮固定が解除された状態を示す縦断面図である。
【図１０】本体基部に支持部材が取り付けられている状態を示す縦断面図である。
【符号の説明】
【００３７】
１０  パチンコ機
１１  本体基部
１１ｈ  付勢規制部材
１２  遊技盤
１３  ガラス枠ユニット
２２  支持部材
３０  仮固定装置
３１  取っ手
３２  取っ手付勢部材
３３  係止部材
３４  ブラケット
【図１】
2005137419.tif 000003
【図２】
2005137419.tif 000004
【図３】
2005137419.tif 000005
【図４】
2005137419.tif 000006
【図５】
2005137419.tif 000007
【図６】
2005137419.tif 000008
【図７】
2005137419.tif 000009
【図８】
2005137419.tif 000010
【図９】
2005137419.tif 000011
【図１０】
2005137419.tif 000012